(57)【要約】【課題】陳列棚や展示用ラックの横向きフレームにガタツキなく安定的に取り付けることができるとともに、軽量でかつ大量生産が可能で、かつ簡単に脱着することのできるディスプレイフックを提供することを目的とする。【解決手段】陳列棚の横方向に延在する横向きフレームに取り付けられるフック部３０と、該フック部３０から前方に延び、商品が取り付けあるいは吊り下げられるアーム部２０とを具備してなるディスプレイフック１０であって、前記フック部３０には、前記横向きフレームを挿入する開放端を有し、かつ前記横向きフレームの断面形状に対応した形状を有する取付溝Ｃが設けられており、前記開放端を構成する先端部３２ａ，３３ａ間の距離が、取付時に対応する前記横向きフレームの位置の距離よりも小さくされていることを特徴とする。【選択図】  図１
2004230038.tif 000002
【特許請求の範囲】
【請求項１】
陳列棚の横方向に延在する横向きフレームに取り付けられるフック部と、該フック部から前方に延び、商品が取り付けあるいは吊り下げられるアーム部とを具備してなるディスプレイフックであって、
前記フック部には、前記横向きフレームを挿入する開放端を有し、かつ前記横向きフレームの断面形状に対応した形状を有する取付溝が設けられており、
前記開放端を構成する先端部間の距離が、取付時に対応する前記横向きフレームの位置の距離よりも小さくされていることを特徴とするディスプレイフック。
【請求項２】
前記フック部の前記取付溝は、略コ字状部材の内側面によって形成されていることを特徴とする請求項１に記載のディスプレイフック。
【請求項３】
前記先端部には、前記横向きフレームの下面あるいは上面、または後面に掛止される掛止部が設けられていることを特徴とする請求項１または２に記載のディスプレイフック。
【請求項４】
前記アーム部の基端部が、前記フック部の前記掛止部と反対の側に位置するように設けられていることを特徴とする請求項３に記載のディスプレイフック。
【請求項５】
前記アーム部および前記フック部は、樹脂により一体成形されていることを特徴とする請求項１から４のいずれか一項に記載のディスプレイフック。
【請求項６】
前記樹脂はＡＢＳ樹脂であることを特徴とする請求項５に記載のディスプレイフック。
【請求項７】
前記アーム部は、蛇口の形に成形されていることを特徴とする請求項１から６のいずれか一項に記載のディスプレイフック。
【発明の詳細な説明】
【０００１】
【発明の属する技術分野】
本発明は、陳列棚などに設けられた横方向に延在する横向きフレームに、着脱可能に取り付けられるフック部と、このフック部から前方に延び、商品が取り付けあるいは吊り下げられるアーム部とを具備してなるディスプレイフックに関するものである。
【０００２】
【従来の技術】
従来のディスプレイフックとしては、商品を吊り下げる丸棒状のアームと、陳列棚の横バー（横向きフレーム）に上方から嵌め合わせるフックベースとを一体に備えたものがあった（特許文献１参照）。
【０００３】
また、蛇口の先端に取り付けられて水道水を浄化する蛇口直結型の浄水器などを陳列あるいは展示するディスプレイフックとしては、金属製の蛇口と、この蛇口の基端部が取り付けられるとともに横向きフレームへの取り付けがなされるフックベースとを具備するものがあった。
この金属製の蛇口は、フックベースの前面プレートの略中央部から前方に延びる突出部に対してネジなどの締結部材を介して固定されている。また、フックベースは、その後面プレートに穿設された孔に切られたタップと螺合するチョウネジなどの締結部材を介して横向きフレームに取り付けられている。
なお、現在世の中に出回っている陳列棚や展示用ラックの横向きフレームは、厚み１４ｍｍ、高さ３２ｍｍのものか、あるいは厚み１４ｍｍ、高さ２４ｍｍのものがほとんどである。
【０００４】
【特許文献１】
特開２００２−２５３４０３号公報（図１，図８，図９，図１０）
【０００５】
【発明が解決しようとする課題】
特許文献１の図１および図１０に開示されたディスプレイフックでは、側面視コ字形のフックベースが、角筒状の横バーに上方から単に嵌め合わされて取り付けられるようになっている。
しかしながら、このように上方から単に引っ掛けるだけの構成では、商品をアーム部から取り外したり、アーム部に商品を吊り下げたりするときにアーム部が特に上下に大きく振れてしまい、商品を取り外し難かったり、吊り下げ難いといった問題点があった。
また、このような振れを抑えるために、フックベースの下面側に支持ボルトを設けるようにしたもの（引用文献１の図８および図９を参照）もある。
しかしながら、このようにボルト止めしたものでも、アーム部が振れることによりボルトが徐々に緩んでしまい、緩んでしまった場合にはその度にボルトを締め直さなければならないといった問題点があった。
【０００６】
一方、上述したような蛇口直結型の浄水器などを陳列あるいは展示するディスプレイフックは、フックベースと蛇口、およびフックベースと横向きフレームがそれぞれ締結部材により固定されている。蛇口直結型の浄水器などは、お客様（購入者）が実際に製品を操作して操作性を確かめるなどするため、特に蛇口の先端部に上下方向の大きな力が加わり、これら締結部材が緩みやすくガタツキが多くなり、実際に近い操作性を体験できないといった問題点があった。
また、このようなディスプレイフックは一つずつ手作りで生産されているため、大量生産を行うことができないといった問題点があった。
さらに、蛇口直結型の浄水器などの商品を陳列あるいは展示する前に組み立て作業を行わなければならず、また陳列あるいは展示が終わったら解体作業を行わなければならないため、組立・解体作業が繁雑で、余分な作業時間を費やさなければならないといった問題点があった。
さらにまた、ディスプレイフック全体が金属製であるため、重量が非常に重くなってしまうといった問題点もあった。
【０００７】
本発明は、上記の事情に鑑みてなされたもので、陳列棚や展示用ラックの横向きフレームにガタツキなく安定的に取り付けることができるとともに、軽量でかつ大量生産が可能で、かつ簡単に脱着することのできるディスプレイフックを提供することを目的とする。
【０００８】
【課題を解決するための手段】
本発明は、上記課題を解決するため、以下の手段を採用した。
請求項１に記載のディスプレイフックにおいて、陳列棚の横方向に延在する横向きフレームに取り付けられるフック部と、該フック部から前方に延び、商品が取り付けあるいは吊り下げられるアーム部とを具備してなるディスプレイフックであって、前記フック部には、前記横向きフレームを挿入する開放端を有し、かつ前記横向きフレームの断面形状に対応した形状を有する取付溝が設けられており、前記開放端を構成する先端部間の距離が、取付時に対応する前記横向きフレームの位置の距離よりも小さくされていることを特徴とする。
【０００９】
このようなディスプレイフックによれば、開放端を構成する先端部間の距離（あるいは間隙）を、横向きフレームの厚みあるいは高さと同じに（あるいはそれよりも大きく）なるように拡げた後、開放端側から横向きフレームを取付溝内に挿入していき、横向きフレームが取付溝内に完全に納められたら、先端部間を拡げるのをやめる。このとき、横向きフレームはフック部の取付溝内に収容されているとともに、先端部間に発生した挟持力（弾性力）により横向きフレームが挟み込まれることとなる。
【００１０】
請求項２に記載のディスプレイフックにおいて、前記フック部の前記取付溝は、略コ字状部材の内側面によって形成されていることを特徴とする。
【００１１】
このようなディスプレイフックによれば、横向きフレームの少なくとも三面が取付溝の少なくとも三つの面（略コ字状部材の内側面）により保持されることとなる。
【００１２】
請求項３に記載のディスプレイフックにおいて、前記先端部には、前記横向きフレームの下面あるいは上面、または後面に掛止される掛止部が設けられていることを特徴とする。
【００１３】
このようなディスプレイフックによれば、フック部を横向きフレームに取り付けたときに、先端部に設けられた掛止部が横向きフレームの下面あるいは上面、または後面に掛止されるようになっている。
すなわち、掛止部と横向きフレームの下面あるいは上面、または後面との掛止を解かなければ、フック部を横向きフレームから取り外すことができないようになっている。
【００１４】
請求項４に記載のディスプレイフックにおいて、前記アーム部の基端部が、前記フック部の前記掛止部と反対の側に位置するように設けられていることを特徴とする。
【００１５】
このようなディスプレイフックによれば、アーム部の基端部がフック部の掛止部から離れた位置にあるため、アーム部が揺れ動いたときに生じた力は掛止部にはほとんど伝達されないようになっている。
すなわち、アーム部が動かされても掛止部と横向きフレームの下面あるいは上面、または後面との掛止が解けないように構成されている。
【００１６】
請求項５に記載のディスプレイフックにおいて、前記アーム部および前記フック部は、樹脂により一体成形されていることを特徴とする。
【００１７】
このようなディスプレイフックによれば、樹脂により一体成形されているので、アーム部とフック部とをつなぎ合わせたり、解体する必要がない。
また、樹脂によりできているので軽量化を図ることができて、かつ大量生産を行うことができる。
【００１８】
請求項６に記載のディスプレイフックにおいて、前記樹脂はＡＢＳ樹脂であることを特徴とする。
【００１９】
このようなディスプレイフックによれば、メッキを施しやすいＡＢＳ樹脂により作り出されている。
【００２０】
請求項７に記載のディスプレイフックにおいて、前記アーム部は、蛇口の形に成形されていることを特徴とする。
【００２１】
このようなディスプレイフックによれば、その疑似蛇口の先端部に、たとえば蛇口直結型の浄水器などを取り付けることができるようになっている。
【００２２】
【発明の実施の形態】
以下、本発明によるディスプレイフックの一実施形態について、図面を参照しながら説明する。
図１および図２に示すように、本発明によるディスプレイフック１０は、アーム部２０と、フック部３０とを主たる要素として構成されたものである。
なお、本実施形態ではアーム部２０が蛇口の形をしたものについて説明する。この場合、アーム部２０（すなわち蛇口）の先端部には、陳列あるいは展示しようとする商品である「蛇口直結型の浄水器」が取り付けられることとなる。
【００２３】
蛇口の形をしたアーム部２０の基端部２１は、フック部３０の上部に位置するように設けられている。すなわち、後述する掛止部３２ｃ，３３ｃおよび第二の掛止部３２ｅ，３３ｅから離間した（遠い）位置（あるいは前面プレート３２の中央部よりも上方）に設けられている。
【００２４】
フック部３０は、図２に示すように、側面視において略コ字状に屈曲形成されたプレート状の部材であり、基端部３１と、この基端部３１の前端から下方に向かって延設された前面プレート３２と、同基端部３１の後端から下方に向かって延設された後面プレート３３とから構成されたものである。
これら基端部３１、前面プレート３２、および後面プレート３３の内側面により取付溝Ｃが形成されている。
【００２５】
前面プレート３２および後面プレート３３の先端部（すなわち、前面プレート３２および後面プレート３３の最も下方に位置する部分）３２ａ，３３ａにより開放端が構成されているとともに、これら先端部３２ａ，３３ａには、内方（すなわち、前面プレート３２と後面プレート３３とが対向する側）に向かって突出する突起部３２ｂ，３３ｂが設けられている。
突起部３２ｂ，３３ｂは、その上側に位置する掛止部３２ｃ，３３ｃと、これら掛止部３２ｃ，３３ｃの内方端から前面プレート３２および後面プレート３３の下方端に延びる傾斜部３２ｄ，３３ｄとからなるものである。
また、掛止部３２ｃ，３３ｃの上方には第二の掛止部（あるいは切欠部）３２ｅ，３３ｅが設けられている。
【００２６】
基端部３１の下面前端から下方に位置する第二の掛止部３２ｅの前方端にかけて第一の内壁面３２ｆが形成されているとともに、基端部３１の下面後端から下方に位置する第二の掛止部３３ｅの後方端にかけて第二の内壁面３３ｆが形成されている。これら第一の内壁面３２ｆおよび第二の内壁面３３ｆは、その上下方向の長さが、たとえば２４ｍｍとなるよう（あるいはこれよりも若干長くなるよう）に形成されている。
また、第二の掛止部３２ｅの後方端から下方に位置する掛止部３２ｃの前方端にかけて第三の内壁面３２ｇが形成されているとともに、第二の掛止部３３ｅの前方端から下方に位置する掛止部３３ｃの後方端にかけて第四の内壁面３３ｇが形成されている。これら第三の内壁面３２ｇおよび第四の内壁面３３ｇは、その上下方向の長さが、たとえば８．５ｍｍとなるよう（あるいはこれよりも若干長くなるよう）に形成されている。
【００２７】
基端部３１の下面前端と下面後端との間は、その左右方向の長さが、たとえば１４ｍｍとなるよう（あるいはこれよりも若干長くなるよう）に形成されている。また、第二の掛止部３２ｅの前方端と第二の掛止部３３ｅの後方端との間の長さは、前述した基端部３１の下面前端と下面後端との間の長さよりも小さくなるように形成されている。
【００２８】
第二の掛止部３２ｅの後方端と第二の掛止部３３ｅの前方端との間は、その間隔が、たとえば１０ｍｍとなるよう（あるいはこれよりも若干短くなるよう）に形成されている。また、掛止部３２ｃの前方端と掛止部３３ｃの後方端との間の長さは、前述した第二の掛止部３２ｅの後方端と第二の掛止部３３ｅの前方端との間の間隔よりも小さくなるように形成されている。
すなわち、第一の内壁面３２ｆ、第二の内壁面３３ｆ、第三の内壁面３２ｇ、および第四の内壁面３３ｇは、上方から下方に向かって壁面間の間隔が漸次狭まっていくように形成されている。
【００２９】
基端部３１、前面プレート３２および後面プレート３３の上部（すなわち第一の内壁面３２ｆおよび第二の内壁面３３ｆの上半分が位置する部分）、および掛止部３２ｃ，３３ｃと第二の掛止部３２ｅ，３３ｅとの間の部分（すなわち第三の内壁面３２ｇおよび第四の内壁面３３ｇが位置する部分）の肉厚はたとえば４ｍｍに形成されている。
これに対して、前面プレート３２および後面プレート３３の中央部、すなわち第一の内壁面３２ｆおよび第二の内壁面３３ｆの下半分が位置する部分の肉厚はたとえば２ｍｍ、すなわち基端部３１、前面プレート３２および後面プレート３３の上部の肉厚の約半分とされている。
【００３０】
また、フック部３０の幅については特に限定されるものではないが、本実施形態では約４０ｍｍとしている。
【００３１】
なお、上述したアーム部２０とフック部３０とは、射出成形により一体に成形されていると好適である。
これにより、大量生産が可能となり、製品１個当たりのコストを低減させることができる。
また、アーム部とフック部との間をつなぐための組み立て作業や、フック部からアーム部を取り外すための解体作業を行う必要がないため、無駄な作業時間を省くことができる。
さらに、アーム部とフック部との間にガタツキを生じるおそれがないので、アーム部を横向きフレームに対して常に安定的な状態に維持することができる。
【００３２】
また、ＡＢＳ（アクリルニトリルブタジエンスチレン）樹脂で作り出されているとさらに好適である。
これにより、製品の表面にメッキを施すことができる。したがって、上述したようにアーム部２０を蛇口の形にした場合には、銀色のメッキを施すことにより、金属製の蛇口と変わらない外観を作り出すことができる。
【００３３】
つぎに、本発明によるディスプレイフック１０の横向きフレームへの取り付け・取り外し方法について説明する。
まず、厚みが１４ｍｍ、高さが３２ｍｍの断面矩形状を有する横向きフレームＦ１への取り付け方法について説明する。
取り付け作業者は、両手の指の指先（あるいは腹）で前面プレート３２および後面プレート３３の傾斜部３２ｄ，３３ｄを、互いに反対の方向（すなわち、傾斜部３２ｄと傾斜部３３ｄとの間の距離が拡がる方向）に、前面プレート３２および後面プレート３３の先端の間隙が横向きフレームＦ１の厚みよりも大きくなるように拡げる。
そして、前面プレート３２の傾斜部３２ｄと横向きフレームＦ１の上面前端、および後面プレート３３の傾斜部３３ｄと横向きフレームＦ１の上面後端をそれぞれ当接させた後、フック部３０の基端部３１およびアーム部２０の基端部２１を左手あるいは右手の手のひらで下方に押し込んでいく。
このとき、前面プレート３２の傾斜部３２ｄと横向きフレームＦ１の前面壁、および後面プレート３３の傾斜部３３ｄと横向きフレームＦ１の後面壁がそれぞれ互いに接触しながら押し込まれていく。
基端部３１の下面が横向きフレームＦ１の上面に衝突するまで押し込まれると、前面プレート３２および後方プレート３３自身が有する弾性力により先端部３２ａ，３３ａが互いに近づく方向に移動し、前面プレート３２の掛止部３２ｃが横向きフレームＦ１の下面前端部を掛止するとともに、後面プレート３３の掛止部３３ｃが横向きフレームＦ１の下面後端部を掛止して、図３に示すような状態になる。このとき、前面プレート３２および後方プレート３３は常に元の状態に戻ろうとしているため、特に横向きフレームＦ１の下方で前面プレート３２および後方プレート３３による挟持力が強まって、ディスプレイフック１０が横向きフレームＦ１にしっかりと固定されることとなる。
【００３４】
横向きフレームＦ１から本発明によるディスプレイフック１０を取り外す場合、まずはじめに、取り外し作業者は、両手の指の指先（あるいは腹）で前面プレート３２および後面プレート３３の傾斜部３２ｄ，３３ｄを互いに反対の方向（すなわち、傾斜部３２ｄと傾斜部３３ｄとの間の距離が拡がる方向）に拡げ、掛止部３２ｃの後方端と掛止部３３ｃの前方端との間の間隙が横向きフレームＦ１の厚みよりも大きくなるようにする。
そして、掛止部３２ｃの後方端と横向きフレームＦ１の前面壁、および掛止部３３ｃの前方端と横向きフレームＦ１の後面壁が互いに接触しながら、あるいは接触することなく、ディスプレイフック１０全体を上方に移動させていく。
ディスプレイフック１０が横向きフレームＦ１から外れたのを確認した後、指の力を抜くと、前面プレート３２および後面プレート３３自身が有する弾性力、すなわち自己復帰力によりフック部３０は元の形状（すなわち、図１および図２に示す状態）に自動復帰することとなる。
【００３５】
つぎに、厚みが１４ｍｍ、高さが２４ｍｍの断面矩形状を有する横向きフレームＦ２への取り付け方法について説明する。
取り付け作業者は、両手の指の指先（あるいは腹）で前面プレート３２および後面プレート３３の傾斜部３２ｄ，３３ｄを互いに反対の方向（すなわち、傾斜部３２ｄと傾斜部３３ｄとの間の距離が拡がる方向）に、前面プレート３２および後面プレート３３の先端の間隙が横向きフレームＦ２の厚みよりも大きくなるように拡げる。
そして、前面プレート３２の傾斜部３２ｄと横向きフレームＦ２の上面前端、および後面プレート３３の傾斜部３３ｄと横向きフレームＦ２の上面後端をそれぞれ当接させた後、フック部３０の基端部３１を左手あるいは右手の手のひらで下方に押し込んでいく。
このとき、前面プレート３２の傾斜部３２ｄと横向きフレームＦ２の前面壁、および後面プレート３３の傾斜部３３ｄと横向きフレームＦ２の後面壁がそれぞれ互いに接触している。
押し込まれていって、横向きフレームＦ２の下面前端および下面後端が、掛止部３２ｃの後方端および掛止部３３ｃの前方端を通過すると、前方プレート３２および後方プレート３３自身が有する弾性力により、横向きフレームＦ２の前面壁と第二の掛止部３２ｅとが接触するとともに、横向きフレームＦ２の後面壁と第二の掛止部３３ｅとが接触するようになる。
この状態からさらに、フック部３０の基端部３１が下方に押し込まれ、基端部３１の下面が横向きフレームＦ２の上面に衝突すると、前面プレート３２および後方プレート３３自身が有する弾性力により先端部３２ａ，３３ａが互いに近づく方向に移動し、前面プレート３２の第二の掛止部３２ｅが横向きフレームＦ２の下面前端部を掛止するとともに、後面プレート３３の第二の掛止部３３ｅが横向きフレームＦ２の下面後端部を掛止して、図４に示すような状態になる。このとき、前面プレート３２および後方プレート３３が常に元の状態に戻ろうとしているため、特に横向きフレームＦ２の下方で前面プレート３２および後方プレート３３による挟持力が強まって、ディスプレイフック１０が横向きフレームＦ２にしっかりと固定されることとなる。
【００３６】
横向きフレームＦ２から本発明によるディスプレイフック１０を取り外す場合、まずはじめに、取り外し作業者は、両手の指の指先（あるいは腹）で前面プレート３２および後面プレート３３の傾斜部３２ｄ，３３ｄを互いに反対の方向（すなわち、傾斜部３２ｄと傾斜部３３ｄとの間の距離が拡がる方向）に拡げ、第二の掛止部３２ｅの後方端と第二の掛止部３３ｅの前方端との間の間隙が横向きフレームＦ２の厚みよりも大きくなるようにする。
そして、第二の掛止部３２ｅの後方端と横向きフレームＦ２の前面壁、および第二の掛止部３３ｅの前方端と横向きフレームＦ２の後面壁が互いに接触しながら、あるいは接触することなく、ディスプレイフック１０全体を上方に移動させていく。そうすると横向きフレームＦ２の下面前方端および下面後方端がそれぞれ、掛止部３２ｃ，３３ｃと接触するようになる。
そうしたら、取り外し作業者は、両手の指の指先（あるいは腹）で前面プレート３２および後面プレート３３の傾斜部３２ｄ，３３ｄを互いに反対の方向にさらに拡げ、掛止部３２ｃの後方端と掛止部３３ｃの前方端との間の間隙が横向きフレームＦ２の厚みよりも大きくなるようにする。
そして、掛止部３２ｃの後方端と横向きフレームＦ２の前面壁、および掛止部３３ｃの前方端と横向きフレームＦ２の後面壁が互いに接触しながら、あるいは接触することなく、ディスプレイフック１０全体を上方に移動させていく。
ディスプレイフック１０が横向きフレームＦ２から外れたのを確認した後、指の力を抜くと、前面プレート３２および後面プレート３３自身が有する弾性力、すなわち自己復帰力によりフック部３０は元の形状（すなわち、図１および図２に示す状態）に自動復帰することとなる。
【００３７】
ディスプレイフック１０が、図３および図４に示すように横向きフレームＦ１，Ｆ２に取り付けられると、横向きフレームＦ１，Ｆ２が取付溝Ｃ内に納められるとともに、前面プレート３２および後面プレート３３自身の弾性力から生じる挟持力によりこれらプレート３２，３３間に横向きフレームＦ１，Ｆ２が挟み込まれ、かつ前面プレート３２の掛止部（あるいは第二の掛止部）が横向きフレームの下面前端部を掛止するとともに、後面プレート３３の掛止部（あるいは第二の掛止部）が横向きフレームの下面後端部を掛止することとなる。
これにより、ディスプレイフック１０は横向きフレームＦ１，Ｆ２に対してガタツキなく、確実かつ堅固に取り付けられることとなる。
【００３８】
また、アーム部２０の先端部が上方向に動かされた場合には、前面プレート３２の掛止部３２ｃ（あるいは第二の掛止部３２ｅ）を横向きフレームＦ１（あるいはＦ２）の下面前端部に掛止させているため、その上方向への動きは確実に抑制されることとなる。一方、アーム部２０の先端部が下方向に動かされた場合には、後面プレート３３の掛止部３３ｃ（あるいは第二の掛止部３３ｅ）を横向きフレームＦ１（あるいはＦ２）の下面後端部に掛止させているため、その下方向への動きは確実に抑制されることとなる。
これにより、たとえアーム部２０の先端部が上下方向に動かされようともガタツキを生じるおそれがない。
すなわち、これら掛止部は横向きフレームの下面前端部および下面後端部を常に確実にグリップし続けることとなるので、たとえばアーム部２０の先端部に浄水器などが取り付けられてこの浄水器が操作されたとしても、ガタツキを生じることがなく、お客様が実際に近い操作性を体験できる。
【００３９】
また、ディスプレイフック１０を横向きフレームＦ１，Ｆ２に取り付けたり取り外したりする際、傾斜部３２ｄ，３３ｄに指を引っ掛けることができるようになっているので、先端部３２ａ，３３ａ間の間隙、掛止部３２ｃ，３３ｃ間の間隙、および第二の掛止部３２ｅ，３３ｅ間の間隙を容易に拡げることができて、ディスプレイフック１０を横向きフレームＦ１，Ｆ２に容易に取り付けたり取り外したりすることができる。
さらに、これら傾斜部３２ｄ，３３ｄの表面に横向きフレームの上面前端および上面後端をそれぞれ押し付けていくことにより、先端部３２ａ，３３ａ間の間隙、掛止部３２ｃ，３３ｃ間の間隙、および第二の掛止部３２ｅ，３３ｅ間の間隙が自然に拡がるようになっているので、女性など非力な作業者でも少ない力で簡単にディスプレイフック１０を横向きフレームＦ１，Ｆ２に取り付けることができる。
【００４０】
なお、本発明は上述した実施形態のものに限定されるものではなく、図５に示すように、上述したフック部３０を上下逆さまとして、横向きフレームＦ１，Ｆ２の下方側からディスプレイフック１１０を取り付け・取り外しできるように構成することもできる。
このように構成することにより、上述した作用効果を奏することができるのはもちろんのこと、図５に示したように、前面プレート３２の正面側に印刷された企業名（商品名）がアーム部２０の陰に隠れることなくハッキリと見えるようになり、商品を購入あるいは試しにきたお客様に対して、企業名（商品名）を積極的に宣伝（あるいはアピール）することができる。
【００４１】
また、本発明はディスプレイフックを、横向きフレームの上方あるいは下方から着脱することができるものに限定されるものではなく、前面（正面）側から着脱可能なものとすることもできる。
【００４２】
さらに、アーム部２０は上述した実施形態のように蛇口型に形成されたものに限定されるものではなく、たとえば単なる丸棒状として、内部に商品を包装した包装体などを吊り下げるようにすることもできる。
【００４３】
さらにまた、上述した実施形態では、２種類の高さ（２４ｍｍ，３２ｍｍ）を有する横向きフレームにそれぞれ対応できるように、掛止部３２ｃ，３３ｃおよび第二の掛止部３２ｅ，３３ｅを有するものについて説明してきたが、本発明はこれに限定されるものではなく、いずれか一方のみを備えたものであっても良い。
【００４４】
さらにまた、本発明が適用される横向きフレームの断面形状は上述したような矩形形状のものに限定されるものではなく、たとえば三角形や五角形などの多角形を有するものであっても良いし、楕円などの形状を有するものであっても良い。
【００４５】
さらにまた、本発明は横向きフレームに対してだけ適用されるものではなく、縦向きフレームや斜め向きフレームなどにももちろん適用することができる。
【００４６】
さらにまた、本発明が適用されるフレームは陳列用あるいは展示用のものに限定されるものではなく、たとえば洋服タンス内や部屋の壁に設けられたフレーム（あるいはレール）などにも適用することができる。
【００４７】
【発明の効果】
本発明のディスプレイフックによれば、以下の効果を奏する。
横向きフレームが取付溝内に納められるとともに、前面プレートおよび後面プレート自身の弾性力から生じる挟持力によりこれらプレート間に横向きフレームが挟み込まれ、かつ前面プレートの掛止部（あるいは第二の掛止部）が横向きフレームの下面前端部を掛止するとともに、後面プレートの掛止部（あるいは第二の掛止部）が横向きフレームの下面後端部を掛止することとなるので、ディスプレイフックを横向きフレームに対してガタツキなく、確実かつ堅固に取り付けることができる。
【００４８】
また、アーム部の先端部が上方向に動かされた場合、前面プレートの掛止部（あるいは第二の掛止部）を横向きフレームの下面前端部に掛止させているため、その上方向への動きは確実に抑制されることとなる。一方、アーム部の先端部が下方向に動かされた場合には、後面プレートの掛止部（あるいは第二の掛止部）を横向きフレームの下面後端部に掛止させているため、その下方向への動きは確実に抑制されることとなる。
これにより、たとえアーム部の先端部が上下方向に動かされようともガタツキを生じるおそれがなく、これら掛止部は横向きフレームの下面前端部および下面後端部を常に確実にグリップし続けることとなるので、たとえばアーム部の先端部に浄水器などが取り付けられてこの浄水器が操作されたとしても、ガタツキを生じることがなく、お客様は実際に近い操作性を体験できる。
【００４９】
さらに、ディスプレイフックを横向きフレームに取り付けたり取り外したりする際、傾斜部に指を引っ掛けることができるようになっているので、先端部間の間隙、掛止部間の間隙、および第二の掛止部間の間隙を容易に拡げることができて、ディスプレイフックを横向きフレームに容易に取り付けたり取り外したりすることができる。
さらにまた、これら傾斜部の表面に横向きフレームの上面前端および上面後端をそれぞれ押し付けていくことにより、先端部間の間隙、掛止部間の間隙、および第二の掛止部間の間隙が自然に拡がるようになっているので、女性など非力な作業者でも少ない力で簡単にディスプレイフックを横向きフレームに取り付けることができる。
【図面の簡単な説明】
【図１】本発明によるディスプレイフックの一実施形態を示す全体斜視図である。
【図２】図１に示すディスプレイフックの右側面図である。
【図３】厚み１４ｍｍ、高さ３２ｍｍの断面矩形状を有する横向きフレームに、本発明によるディスプレイフックを装着した状態を示す右側面図である。
【図４】厚み１４ｍｍ、高さ２４ｍｍの断面矩形状を有する横向きフレームに、本発明によるディスプレイフックを装着した状態を示す右側面図である。
【図５】本発明によるディスプレイフックの他の実施形態を示す全体斜視図である。
【符号の説明】
１０    ディスプレイフック
２０    アーム部
２１    基端部
３０    フック部
３２ａ  先端部
３２ｃ  掛止部
３２ｅ  第二の掛止部
３３ａ  先端部
３３ｃ  掛止部
３３ｅ  第二の掛止部
１１０    ディスプレイフック
Ｃ      取付溝
Ｆ１    横向きフレーム
Ｆ２    横向きフレーム
【図１】
2004230038.tif 000003
【図２】
2004230038.tif 000004
【図３】
2004230038.tif 000005
【図４】
2004230038.tif 000006
【図５】
2004230038.tif 000007